(57)【要約】【課題】  履物や足が濡れることを防止できる合羽を提供する。【解決手段】  合羽のズボン１０の前身頃の裾１２に円弧上の切欠部１４を形成することにより（図１、２）、裾１２で靴５４の側面部分５４ａを覆うことができる。また、切欠部１４に靴５４のつま先部分５４ｂを覆う靴カバー１６を取り付けることにより、靴５４全体を覆うことができる。靴カバー１６および合羽のズボン１０により履物５４全体を覆うことができるため、履物５４および足５２を濡らさないようにすることができる。また、切欠部１４に靴カバー取付部を取り付ける。これにより、靴５４が露出する部分はつま先部分５４ｂのみとなり、靴カバー１６の取付が容易となり、靴カバー１６を簡単に装着できる。また靴５４が露出する面積も狭くできることから、靴カバー１６の大きさを小さく形成できるため、歩行時又は自転車運転時に風を受け難くなり、風によって靴カバー１６が靴５４から外れることも防止できる。【選択図】  図１
2010209508.tif 000002
【特許請求の範囲】
【請求項１】
合羽のズボンの前身頃の裾に靴の露出した部分を覆う靴カバーを取り付ける切欠部を形成することを特徴とする合羽。
【請求項２】
前記切欠部に前記靴カバーを取り付ける靴カバー取付部を設けることを特徴とする請求項１記載の合羽。
【発明の詳細な説明】
【技術分野】
【０００１】
本発明は、合羽のズボンに関する。          
【背景技術】
【０００２】
雨や雪が降ったときに身にまとう合羽は、安価であり軽くて持ち運びに便利なことから、旅行等の際の必需品として広く使用されている。
【０００３】
しかし、合羽を着て歩行し又は自転車などを運転するとき、膝を曲げる際、合羽のズボンの裾が上がり、履物（又は足の部分）が合羽のズボンから露出する。そのため、合羽を着ているにもかかわらず、履物や足が濡れてしまうという問題があった。
【０００４】
また、雨具ズボンがつり上がる分だけ雨具ズボンの丈を長くしてすることにより、靴の露出を防止できる。しかし、図８に示すように、雨具ズボン５０の丈を長くすると、膝を伸ばしたとき足５２の甲が接する靴５４の部分の上に雨具ズボン５０の裾５６が止まり、靴５４の側面部分５４ａおよびつま先部分５４ｂが露出した状態になる。従って、雨具ズボンの丈を長くしたとしても、履物や足の濡れを防止できなかった。
そのため、合羽を着て歩行し又は自転車などを運転する際に、履物や足が濡れることを防止する雨具ズボンが提供されている（特許文献１）。
【先行技術文献】
【特許文献】
【０００５】
【特許文献１】特開平９−７８３１７号公報
【発明の概要】
【発明が解決しようとする課題】
【０００６】
特許文献１の雨具ズボンは、雨具ズボンに当該ズボン裾内側で縫い止める後ろ裾下がり止めベルトと、前裾の前の靴の上に設ける雨よけと、裾横に設けるホックボタン止めと、靴底よりまわしてホックボタン止めに止める面ファスナー付きの回転自在ベルトとを設けるものである。これにより、膝を曲げた際の雨具ズボンのつり上がり防止できズボンの裾と靴の間から雨水が入ることを防ぐことができる。
しかし、特許文献１の雨具ズボンは、その裾をホックボタン止めと面ファスナー付きの回転自在ベルトを用いて固定し、雨具ズボンのつり上がり防止するものであり、雨具ズボンで覆われない部分、すなわち履物のつま先部分（図８の靴５４のつま先部分５４ｂ）が雨で濡れてしまうという欠点があった。
【０００７】
本発明は、履物や足が濡れることを防止できる合羽を提供することを目的とするものである。
【課題を解決するための手段】
【０００８】
本発明の合羽は、そのズボンの前身頃の裾に靴の露出した部分を覆う靴カバーを取り付ける切欠部を形成するようにしたものである。
【０００９】
また、本発明の合羽は、前記切欠部に前記靴カバーを取り付ける靴カバー取付部を設けるようにしたものである。
【発明の効果】
【００１０】
本発明の合羽は、合羽のズボンの前身頃の裾に円弧上の切欠部を形成するものである。これにより、切欠部に取り付ける靴カバーおよび合羽のズボンにより履物全体を覆うことができ、履物および足に雨があたらないようにすることができる。
また、切欠部に靴カバー取付部を取り付けることにより、靴カバーの装着が簡単にできる。
【図面の簡単な説明】
【００１１】
【図１】本発明の合羽の使用状態を示す図である。
【図２】図１の切欠部を表わす図である。
【図３】切欠部に靴カバーを取り付けた状態を表わす断面図である。
【図４】靴カバーを表わす図である。
【図５】靴カバーの固定部材の斜視図である。
【図６】図１の靴カバーを靴に固定した状態を表わす図である。
【図７】本発明の合羽のズボンの他の実施例を表わす図である。
【図８】合羽のズボンの裾を長くした場合の使用状態図である。
【発明を実施するための形態】
【００１２】
本発明は、合羽を着用したとき履物を露出させないことを実現するものである。
【実施例】
【００１３】
本発明の合羽を図に基づいて説明する。図１は、本発明の合羽の使用状態図である。図２は、図１の切欠部を表わす図である。図３は、切欠部に靴カバーを取り付けた状態を表わす断面図である。図４は靴カバーを表わす図であり、同図（ａ）は靴カバーの斜視図、同図（ｂ）は靴カバーの底面図である。図５は、靴カバーの固定部材の斜視図である。図６は、図１の靴カバーを靴に固定した状態を表わす図である。
本発明の合羽は、その合羽のズボン１０の前身頃の裾１２に円弧上の切欠部１４を形成するものである（図１、２）。切欠部１４に靴５４の露出部分５４ａ、５４ｂを覆う靴カバー１６を取り付けることにより、靴カバー１６および合羽のズボン１０で靴５４全体を覆うことができる。
【００１４】
切欠部１４のない雨具ズボン５０では、足５２の甲が接する靴５４の上に雨具ズボン５０の前身頃の裾５６が止まることから、止まる裾５６に靴５４の側面部分５４ａに位置する裾５６ａが引っ張られ、裾５６ａで靴５４の側面部分５４ａを覆うことはできない（図８）。これに対し、本発明の合羽のズボン１０は、その前身頃の裾１２に円弧状の切欠部１４を設けて、足５２の甲が接する靴５４の部分の上に合羽のズボン１０の前身頃の裾１２が止まらないようにしている。これにより、靴５４の側面部分５４ａに位置する裾１２ａでその側面部分５４ａを覆うことができる（図１、２）。すなわち、合羽のズボン１０および靴カバー１６によって靴５４の靴底５４ｃの位置まで裾１２を下ろすことができる。靴５４は合羽のズボン１０および靴カバー１６によりすっぽり覆うことができることから、靴５４および足５２に雨が当たることを防止でき、靴５４および足５２が濡れないようすることができる。
【００１５】
靴カバー１６は、切欠部１４に留め具１８を介して取り付けられている（図３）。留め具１８は、面ファスナー、バッグの開閉部に使用されているマグネットボタン（磁石）などを使用することができる。
図３において、靴カバー１６は、合羽のズボン１０の表面に設けた留め具１８を介して切欠部１４に取り付けられているが、留め具１８は合羽のズボン１０の裏面に設けてもよい。
【００１６】
靴カバー１６は、靴５４のつま先部分５４ｂを覆うことができるような形状に形成する（図４）。靴カバー１６の材質は、合羽のズボン１と同一の素材からなるものであってもよく、また防水性のある他の素材（例えば、合成樹脂等）からなるものであってもよい。
【００１７】
靴カバー１６を靴５４に取り付ける手段としては、靴カバー１６に伸縮自在の輪状のゴム紐２０を設ける（図４（ａ）、（ｂ））。靴５４のつま先部分５４ｂに靴カバー１６を取り付けた後、ゴム紐２０を靴５４の踵５４ｄに掛けることにより（図６）、靴５４に靴カバー１６を固定できる。なお、靴５４に靴カバー１６を確実に固定するために、靴５４のつま先に引っ掛ける留め金具２２（例えば、フック）を靴カバー１６の先端部分に設けても良い（図４（ｂ））。
他の靴カバー１６の取付手段として、靴５４のつま先に嵌着可能な靴カバー固定部材２４を用いる（図５、図６）。なお、靴カバー固定部材１１は、例えば板ばね、ゴム片などの弾性体により形成する。
【００１８】
つぎに、本発明の合羽の他の実施例を図７に基づいて説明する。
本発明の合羽のズボン１０の切欠部１４に面ファスナー等の留め具を用いて略帯状の靴カバー取付部２６を取り付ける。図７に示す靴カバー取付部２６は、足５２の甲が接する靴５４の表面を覆うものである。靴５４のつま先側の靴カバー取付部２６の縁には面ファスナー等の留め具２８が備えられており、その留め具２８を介して靴カバー取付部２６に靴カバー１６が取り付けられるようになっている。
なお、靴カバー取付部２６の幅は、足５２の甲が接する靴５４の表面を覆う程度の幅が好ましいが、これに限るものではない。
また、靴カバー１６には、靴カバー取付部２６の留め具２８に係止する留め具（例えば、面ファスナー）が設けられているものとする。
【００１９】
合羽のズボン１０の切欠部１４に靴カバー取付部２６を設けることにより、靴５４が露出する部分はつま先部分５４ｂのみとなる。つま先部分５４ｂの表面はほぼ平坦であることから、靴カバー１６の取付が容易となり、靴カバー１６を簡単に装着できる。また靴５４が露出する面積も狭くできることから、靴カバー１６の大きさを小さく形成できるため、歩行時又は自転車運転時に風を受け難くなり、風によって靴カバー１６が靴５４から外れることも防止できる。
【００２０】
なお、靴カバー取付部２６は、合羽のズボン１０と一体に形成してもよい。また、靴カバー取付部２６は、合羽のズボン１と同一の素材からなるものであってもよく、防水性のある他の素材（例えば、合成樹脂等）からなるものであってもよい。
【００２１】
本発明の合羽のズボン１０の丈は着用者の股下より長めに形成する。好ましくは、合羽のズボン１０の着用者が膝を曲げたときに合羽のズボン１０の裾１２が靴５４の靴底５４ｃの位置と同じ位置になるように形成する。これにより、着用者が膝を曲げたときに靴５４が合羽のズボン１０から露出することを防止できる。
合羽のズボン１０の丈を長くすると、着用者が膝を伸ばしたとき、裾１２が地面に垂れる。これを防止するため、着用者が膝を曲げた状態で、踝の辺りで合羽のズボン１０を結束する。着用者が膝を曲げると、合羽のズボン１０の裾１２は約１０ｃｍから１５ｃｍ上がる。合羽のズボン１０の丈を約１０ｃｍから１５ｃｍ長くした場合、合羽のズボン１０の長くした分だけ結束部分から下方に垂れるが、この垂れる長さは長くした分の半分の長さ（約５ｃｍから７ｃｍ程度）であるため、裾１２が地面に触れることはなく、裾１２が地面に垂れることを防止できる。
【符号の説明】
【００２２】
１０  合羽のズボン
１２  裾
１４  切欠部
１６  靴カバー
２６  靴カバー取付部
【図１】
2010209508.tif 000003
【図２】
2010209508.tif 000004
【図３】
2010209508.tif 000005
【図４】
2010209508.tif 000006
【図５】
2010209508.tif 000007
【図６】
2010209508.tif 000008
【図７】
2010209508.tif 000009
【図８】
2010209508.tif 000010